(57)【要約】【課題】単一素材からなる層と複合素材からなる層とからなる巻芯の円周上をカッターナイフ等で切り開いて、単一素材からなる層と複合素材からなる層とに容易に分別できる。【解決手段】テープを巻き付けて形成される巻芯が、単一素材からなる層と複合素材からなる層から構成されており、前記単一素材からなる層と前記複合素材からなる層の２層が粘着剤で粘着されている。【選択図】          図２
2004149288.tif 000002
【特許請求の範囲】
【請求項１】
テープを巻き付けて形成される巻芯が、単一素材からなる層と複合素材からなる層から構成されており、前記単一素材からなる層と前記複合素材からなる層の２層が粘着剤で粘着されていることを特徴とする巻芯。
【請求項２】
前記複合素材からなる層が前記単一素材以外からなる層から構成されていることを特徴とする請求項１に記載の巻芯。
【請求項３】
粘着剤により粘着されている前記２層のうち内層が更にその内側の層と又は外層が更にその外側の層と接着剤によって剥離不能に固着されていることを特徴とする請求項１〜２のいずれかに記載の巻芯。
【請求項４】
粘着剤により粘着されている前記２層が部分的に接着剤によって接着されていることを特徴とする請求項１〜３のいずれかに記載の巻芯。
【請求項５】
前記２層に層間全面にわたって粘着剤とホットメルト接着剤が塗布されていることを特徴とする請求項１〜４のいずれかに記載の巻芯。
【請求項６】
前記２層に層間全面にわたってチップが敷き詰められ、接着剤もしくは粘着剤が塗布されていることを特徴とする請求項１〜５のいずれかに記載の巻芯。
【請求項７】
最外層外周面に最外層から前記２層間まで刃物で切り開き易くするために、中心軸に略平行に刃が沿うように溝が付与していることを特徴とする請求項１〜６のいずれかに記載の巻芯。
【請求項８】
形状が円筒状であることを特徴とする、請求項１〜７のいずれかに記載の巻芯。
【請求項９】
前記テープが少なくとも一枚螺旋状に巻き付けて形成されていることを特徴とする、請求項１〜８のいずれかに記載の巻芯。
【請求項１０】
前記単一素材が紙からなる層であることを特徴とする、請求項１〜９のいずれかに記載の巻芯。
【発明の詳細な説明】
【０００１】
【発明の属する技術分野】
本発明は、ウェブ等のシート状物や糸等の線状物を巻き取り、輸送や保管等を行うための巻芯に関する。
【０００２】
【従来の技術】
従来、プラスチックフィルムやウェブ等のシート状物や糸等の線状物の巻芯の素材には、紙、樹脂もしくは金属やガラス等の無機物、またはこれらを複合したものが用いられている。
例えば、巻芯が紙製である場合、吸湿性があるため、環境条件による影響が大きく、湿度が高くなると、巻芯の寸法、形状変化、および強度低下をきたす。また、吸湿性の高いウェブを巻く際には、巻芯表面からウェブへ水分移行がおこる。このような問題を解決するために巻芯本体の外周面及び内表面に樹脂ラミネート紙を被覆して構成したもの（特許文献１、２参照）、巻芯の表面層に金属蒸着フィルムを被覆し構成したものがある（特許文献３参照）。あるいは、薄肉の樹脂フィルム用巻芯では、巻芯の外周面の表面平滑性を出し、フィルムの巻き皺をなくすため、巻芯の外周面に樹脂を含浸または塗布したものがある（特許文献４参照）。
【０００３】
【特許文献１】
実公昭４８−４４０８２号公報
【特許文献２】
実開平６−２０３６９号公報
【特許文献３】
実開昭５６−６８６４号公報
【特許文献４】
特開昭５２−４０６２５号公報
【０００４】
【発明が解決しようとする課題】
しかしながら、これらの複合素材からなる巻芯は廃棄する際、特に巻芯が紙製の場合、紙の層と金属蒸着フィルム層、樹脂ラミネート紙層などの複合素材との層間が接着されており、分別には非常に手間と時間を要するため、実際には古紙にリサイクルされず、焼却もしくは埋め立て処分されている。
【０００５】
【課題を解決するための手段】
第１の課題解決手段に係る発明は、テープを巻き付けて形成される巻芯が、単一素材からなる層と複合素材からなる層から構成されており、単一素材からなる層と複合素材からなる層の２層が粘着剤で粘着されていることを特徴とする巻芯を提供する。
【０００６】
第２の課題解決手段に係る発明は、第１の課題解決手段において、前記複合素材からなる層が単一素材以外からなる層から構成されていることを特徴とする巻芯を提供する。
【０００７】
第３の課題解決手段に係る発明は、第１〜２の課題解決手段のいずれかにおいて、粘着剤により粘着されている２層のうち内層がさらにその内側の層と又は外層がさらにその外側の層と接着剤によって剥離不能に固着されていることを特徴とする巻芯を提供する。
【０００８】
第４の課題解決手段に係る発明は、第１〜３の課題解決手段のいずれかにおいて、粘着剤により粘着されている２層が部分的に接着剤によって接着されていることを特徴とする巻芯を提供する。
【０００９】
第５の課題解決手段に係る発明は、第１〜４の課題解決手段のいずれかにおいて、２層に層間全面にわたって粘着剤とホットメルト接着剤が塗布されていることを特徴とする巻芯を提供する。
【００１０】
第６の課題解決手段に係る発明は、第１〜５の課題解決手段のいずれかにおいて、２層に層間全面にわたってチップが敷き詰められ、接着剤もしくは粘着剤が塗布されていることを特徴とする巻芯を提供する。
【００１１】
第７の課題解決手段に係る発明は、第１〜６の課題解決手段のいずれかにおいて、最外層外周面に最外層から２層間まで刃物で切り開き易くするために、中心軸に略平行に刃が沿うように溝が付与していることを特徴とする巻芯を提供する。
【００１２】
第８の課題解決手段に係る発明は、第１〜７の課題解決手段のいずれかにおいて、形状が円筒状であることを特徴とする巻芯を提供する。
【００１３】
第９の課題解決手段に係る発明は、第１〜８の課題解決手段のいずれかにおいて、テープが少なくとも一枚螺旋状に巻き付けて形成されていることを特徴とする巻芯を提供する。
【００１４】
第１０の課題解決手段に係る発明は、第１〜９の課題解決手段のいずれかにおいて、単一素材が紙からなる層であることを特徴とする巻芯を提供する。
【００１５】
【発明の実施の形態】
（第１実施形態）
図１は本発明の第１実施形態による巻芯の構成を説明するための斜視図である。図２は図１のＡ−Ａ線断面図である。
第１実施形態の巻芯１は、図１のＡ−Ａ線について断面をみると、図２に示すように、最内層から紙テープ２を複数枚積層させて形成される芯体３と、芯体３上に巻きつけられ外周面に粘着剤が塗布された紙テープ４からなる層５と、層５上に巻きつけられた紙テープ４の粘着剤から剥離可能な内周面を有する紙テープ６からなる層７と、層７に巻きつけられた複合素材のテープ８からなる最外層９とを備えて構成されている。例えば、巻芯の形状としては、内径が７６ｍｍ、厚みが５ｍｍ、長さが１５００ｍｍである。また、紙テープ２の例として０．５ｍｍの板紙、紙テープ４の例として０．３５ｍｍの板紙、紙テープ６の例として０．３５ｍｍの板紙あるいは０．１ｍｍのクラフト紙、複合素材のテープ８の例としては、熱硬化性樹脂または熱可塑性樹脂を含浸あるいは塗布した紙、紙と樹脂フィルム、金属箔などを積層した複合紙が挙げられる。
好ましい複合素材のテープ８の例としては、ポリエチレンフィルムラミネート紙、ポリプロピレンフィルムラミネート紙、ＰＥＴフィルムラミネート紙、アルミニウム蒸着紙、シリカ蒸着紙、フェノール樹脂含浸紙等が挙げられる。しかしながら、上記のものに限られず、この種巻芯として公知のもののテープとして用いられるものもすべて適用可能である。
【００１６】
複合素材のテープ８の最外層９は紙テープ６の層７と接着し固定され複合素材からなる層１０を形成されているため、最外層９の剥離を防ぐことができ、また、紙テープ２、紙テープ４は接着して単一素材からなる層１１を形成しているため、巻芯１は寸法安定性、強度とも優れている。
【００１７】
図３は本発明の巻芯の層７と最外層９を最外層外周面上を直線に沿って切り開いた状態を示す斜視図である。図３に示す複合素材からなる層１０は、例えばカッターナイフにより巻芯１の軸方向に平行な外周面に設けられた溝２０（図１参照）に沿って外周面上を直線に切り開くことにより形成される。この複合素材からなる層１０は、層５の粘着剤から剥離されることにより図３の状態になり、単一素材からなる層１１と複合素材からなる層１０とに容易に分別され、リサイクルされる。単一素材からなる層１１とは単一素材のテープのみが少なくとも一層以上積層されたものである。なお、最外層の溝２１は必ずしも必要ではない。
【００１８】
図４は、巻芯の製造方法を説明するための平面図である。
まず、複数の紙テープ２は、マンドレル３０に、接着剤塗布用ローラ３１，３３及び接着剤槽３２で接着剤を塗布されながら螺旋状に巻きつけられる。
マンドレル３０に巻きつけられた紙テープ２は、エンドレスベルト３４により締め付けられながら前に送られる。
【００１９】
エンドレスベルト３４の先では、接着剤塗布用ローラ３５により下面に接着剤が塗布され、粘着剤塗布用ローラ３６により上面に粘着剤が塗布された紙テープ４がマンドレル３０上の紙テープ２に螺旋状に巻きつけられる。次に、紙テープ４が巻きつけられているさらに先で、接着剤等の塗布されていない紙テープ６が紙テープ４の上に螺旋状に巻きつけられる。さらに、紙テープ６が巻きつけられているさらに先で、接着剤塗布用ローラ３７により接着剤が下面に塗布された複合素材のテープ８が紙テープ６の上に螺旋状に巻きつけられる。その後、所定の長さに素管３８が切断されて巻芯が形成される。
【００２０】
上記第１実施形態の説明では、ウェブを巻きつけた際、最外層９が剥離するのを防ぐため、複合素材からなる層１１として、最外層９と層７の２層としたが、図５に示すように最外層９の複合素材のテープ８をオーバーラップさせることにより、最外層９一層で剥離させることができる。
【００２１】
（第２実施形態）
次に本発明の第２実施形態による巻芯の断面図を図６に示す。第２実施形態では複合素材からなる層１０が巻芯の中間層に存在している。
第１実施形態と同じく、最内層から紙テープ２を複数枚積層させて形成される芯体３と、芯体３上に巻きつけられ外周面に粘着剤が塗布された紙テープ４からなる層５と、層５上に巻きつけられた紙テープ４の粘着剤から剥離可能な内周面と、外周面に粘着剤が塗布された複合素材のテープ８の複合素材からなる層１０と、複合素材からなる層１０上に巻きつけられた複合素材のテープ８の粘着剤から剥離可能な内周面を有する紙テープ１２からなる層１３、層１３上に巻きつけられた紙テープ２が最外層９まで積層され構成されている。
【００２２】
内周面、外周面ともに粘着剤で積層された複合素材からなる層１０は、接着された紙テープ２、４からなる単一素材からなる層１１と紙テープ２、１２からなる単一素材からなる層１５によってサンドされ固定されているため、巻芯１は寸法安定性、強度とも優れている。
【００２３】
まず、最外層外周面上を直線に沿って最外層９から層１３まで周面を切り開くことにより、単一素材からなる層１５が分別され、次に複合素材からなる層１０を切り開くことにより複合素材からなる層１０と単一素材からなる層１１に分別することができる。
【００２４】
（第３実施形態）
次に本発明の第３実施形態による巻芯の断面図を図７に示す。巻芯１の軸心方向に紙テープ２１を垂直に複数周巻き付け形成された巻芯１の外周面に樹脂２２を含浸させて形成されている。紙テープ２１の最外層から少なくとも１周以上、好ましくは２周、粘着剤２３層が形成され、それより内層部では接着剤２４層が形成されている。粘着剤２３層は樹脂２２層と接着剤２４層に挟まれているため、巻芯１は寸法精度、強度ともに優れた巻芯となる。
【００２５】
粘着剤層２３が２層以上存在する最外層外周面上を第１実施形態と同じくカッターナイフで切り開くことにより、単一素材である紙テープ２１と複合素材に分別可能である。粘着剤層２３が巻芯１に１周以上２周未満塗布されている時は、巻芯１の切り開く最外層外周面に印刷などの目印を付けておけば良い。粘着剤層２３が２周以上塗布されている時は、巻芯１のどの最外層外周面を切り開いても分別できる。
【００２６】
第３実施形態の製造方法はマンドレルに紙テープ２を巻き付ける工程において、スプレーなどで紙テープ２に接着剤層２２と粘着剤層２３とに分けて塗布すればよい。
【００２７】
（第４実施形態）
次に本発明の第４実施形態による巻芯の斜視図を図８に示す。巻芯１の粘着剤層の帯状部分５３が接着剤によって接着されている。それにより最外層とその内側の層との間を粘着剤で粘着させても、接着剤によって補強されおり、捲れが防止され、構造的に安定した巻芯を提出することができる。
【００２８】
使用方法について説明するための正面図を図９に示す。粘着剤層が粘着剤とエチレンビニルアルコールなどのホットメルト接着剤との混合物５２で形成されている。上記のように形成された巻芯１を、図９に示すようにリング状の開口部を有する金型５０の中に通す。その際、金型５０の一部分のヒーター５１のみを熱してホットメルト接着剤が溶ける温度以上にしておくことにより、巻芯１にアイロン掛けができる。巻芯１と金型５１が接する部分のみ接着させるようにでき、図８の帯状部分５３のみが接着され、表面層の捲れを防止することができる。この金型５０は素管３８の形成領域（図４参照）以降に設置すれば良い。
【００２９】
（第５実施形態）
次に本発明の第５実施形態による巻芯の断面図を図１０に示す。最内層から紙テープ２を複数枚積層させて形成される芯体３と、芯体３上に巻きつけられ外周表面にチップが敷き詰められた紙テープ１６からなる層１７と、層１７上に巻きつけられた接着剤もしくは粘着剤を塗布された複合素材のテープ８からなる最外層とを備えて構成されている。チップとは短いパルプ繊維の粉や破片のことであり、紙表面に層として敷き詰めることにより、図１１に示すように容易に層９と層１７の間で剥離できる。接着剤もしくは粘着剤としては、この種巻芯として公知のものとして用いられるものすべて適用可能である。
【００３０】
なお、上記第１実施形態から第５実施形態の説明において、異なる単一素材からなる層１１が多数積層された巻芯、単一素材からなる層１１と複合素材からなる層１０が複数層サンドされた巻芯など、テープの組み合わせは限定されるものではない。
【００３１】
また、巻芯の形状は円筒形に限られるものではなく、四角形、六角形などの多角形の筒であっても良い。
【００３２】
また、テープは螺旋状に巻きつけられるものだけでなく、円周上に軸心方向に垂直に巻きつけられたものもしくはその組み合わせであっても良い。
【００３３】
【発明の効果】
本願の第１の発明は、巻芯の単一素材からなる層と複合素材からなる層との２層間を粘着させることにより、巻芯の円周上をカッターナイフ等で切り開いて、単一素材からなる層と複合素材からなる層とに容易に分別できるという効果を奏する。
【００３４】
本願の第２の発明は、巻芯の単一素材からなる層と単一素材以外からなる層との２層間を粘着させることにより、前記巻芯の円周上をカッターナイフ等で切り開いて、単一素材からなる層と単一素材以外からなる層とに容易に分別できる効果を奏する。
【００３５】
本願の第３の発明は、本願の第１、第２の発明に加えて、内外層間に粘着剤が存在しているにも関わらず、内外層より更に内側の層、又は更に外側の層が接着剤によって固着されているため、寸法安定性、強度ともに優れた巻芯を提供できるという効果を奏する。
【００３６】
本願の第４の発明は、粘着剤層が部分的に接着剤により接着されているため最外層の捲れを防止でき、構造的に安定した巻芯を提供する。
【００３７】
本願の第５の発明は、本願の第４の発明の効果に加え、粘着剤層全面に粘着剤とホットメルトをすれば良く、容易に塗布できる巻芯を提供する。
【００３８】
本願の第６の発明は、チップを敷き詰めることで、全面に接着剤もしくは粘着剤を塗布すれば良く、容易に塗布できる巻芯を提供する。
【００３９】
本願の第７の発明は、最外層外周面を切り開く時に、外周面上に設けられた直線の溝に沿って容易にカッターナイフ等で開くことができるという効果を奏する。
【００４０】
本願の第８の発明は、巻芯を円筒形とすることにより、巻芯表面から力が加わりエッジ部に力が集中して巻芯の表面紙がずれるのを防ぐことができる巻芯を提供する。
【００４１】
本願の第９の発明は、テープを螺旋状に巻きつけることにより、連続生産可能になり生産性が向上する巻芯を提供する。
【００４２】
本願の第１０の発明は、巻芯を紙製とすることでリサイクル性に優れた巻芯を提供する。
【図面の簡単な説明】
【図１】この発明の第１実施形態による巻芯を説明するための斜視図である。
【図２】図１のＡ−Ａ線断面図である。
【図３】第１実施形態による巻芯の分別方法を示す斜視図である。
【図４】第１実施形態による巻芯の製造方法を説明するための平面図である。
【図５】第１実施形態による巻芯のテープの構成について説明するための断面図である。
【図６】第２実施形態による巻芯のテープの構成について説明するための断面図である。
【図７】第３実施形態による巻芯のテープの構成について説明するための断面図である。
【図８】第４実施形態による巻芯を説明するための斜視図である。
【図９】第４実施形態による巻芯の製造方法について説明するための正面図である。
【図１０】第５実施形態による巻芯のテープの構成について説明するための断面図である。
【図１１】第５実施形態による巻芯の分別方法を示す斜視図である。
【符号の説明】
１巻芯
２、４、６、１２、１６、２１  紙テープ
３  芯体
８  複合素材のテープ
９  最外層
１０  複合素材からなる層
１１、１５  単一素材からなる層
２３  粘着剤
２４  接着剤
【図１】
2004149288.tif 000003
【図２】
2004149288.tif 000004
【図３】
2004149288.tif 000005
【図４】
2004149288.tif 000006
【図５】
2004149288.tif 000007
【図６】
2004149288.tif 000008
【図７】
2004149288.tif 000009
【図８】
2004149288.tif 000010
【図９】
2004149288.tif 000011
【図１０】
2004149288.tif 000012
【図１１】
2004149288.tif 000013